(57)【特許請求の範囲】
【請求項１】
ベッド側部におけるサイドフレームに回動可能にサイドパネルを垂下支持し、このサイドパネルは、少なくともベッド幅方向外側に面する表面を柔軟性部材によって構成し、このサイドパネルの裏面側に、サイドパネル長手方向下端側をベッド幅方向外方に突出保持する保持手段を設け、この保持手段は、サイドパネルの裏面側に固設した円弧状支持腕と、前記サイドフレーム下面に鉛直下方に突設して、前記円弧状支持腕を揺動自在に挿通させてなる保持基枠と、この保持基枠下部側に、前記円弧状支持腕を所定の箇所で固定して、サイドパネル長手方向下端側をベッド幅方向外方に突出させた状態、並びに鉛直状態に格納した状態で保持するロック手段とを備えたことを特徴とする転落時の衝撃緩和機能を有するベッド装置。
【請求項２】
前記サイドパネルを折畳み可能に連結して、ベッド側方に展開可能に垂下支持した第１の分割パネルと第２の分割パネルとによって構成したことを特徴とする請求項１記載の転落時の衝撃緩和機能を有するベッド装置。
【発明の詳細な説明】
【０００１】
【発明の属する技術分野】
本発明は、ベッド上から転落しても怪我しないようにするための、転落時の衝撃緩和機能を有するベッド装置に関するものである。
【０００２】
【従来の技術】
従来より、ベッドには、転落防止用の柵が備えられている。かかる柵は、背に対応するボトム脇とか、足に対応するボトム脇の箇所をカバーする、部分的なものが多い。
また、中にはベッド側面を全面的にカバーする柵もある。
このような柵が備えられているにもかかわらず、完全に転落を防止することは困難であり、そのために転落したときのためにベッド脇の床面に、予めクッション材を載置して、怪我防止に対処してきた。
【０００３】
【発明が解決しようとする課題】
しかしながら、そのようなクッション材は、介護者が介護のために近づく際に邪魔になり、その都度移動したり、ベッド下に押し込んだりせねばならないなど煩わしいものであり、また非使用時においての保管場所を考慮せねばならない。
本発明は、以上のような課題を克服するために提案されたものであって、ベッドにおけるサイドフレームを利用して、簡単にベッド側方に展開して、使用することができるようにした、転落時の衝撃緩和機能を有するベッド装置を提供することを目的とする。
【０００４】
【課題を解決するための手段】
前記した課題を解決するために、本発明では、請求項１において、ベッド側部におけるサイドフレームに回動可能にサイドパネルを垂下支持し、このサイドパネルは、少なくともベッド幅方向外側に面する表面を柔軟性部材によって構成し、このサイドパネルの裏面側に、サイドパネル長手方向下端側をベッド幅方向外方に突出保持する保持手段を設け、この保持手段は、サイドパネルの裏面側に固設した円弧状支持腕と、前記サイドフレーム下面に鉛直下方に突設して、前記円弧状支持腕を揺動自在に挿通させてなる保持基枠と、この保持基枠下部側に、前記円弧状支持腕を所定の箇所で固定して、サイドパネル長手方向下端側をベッド幅方向外方に突出させた状態、並びに鉛直状態に格納した状態で保持するロック手段とを備えた転落時の衝撃緩和機能を有するベッド装置を提案する。
また本発明では、請求項２において、前記サイドパネルを折畳み可能に連結して、ベッド側方に展開可能に垂下支持した第１の分割パネルと第２の分割パネルとによって構成した転落時の衝撃緩和機能を有するベッド装置を提案する。
【０００５】
請求項１によれば、使用時に、直ちにサイドパネルを下面をベッド側方に開いて保持手段により傾斜保持し、就寝時の転落に備えることができる。サイドパネル表面を柔軟性部材によって構成したので、転落時の衝撃を緩和することができる。
【０００６】
請求項２によれば、床高が高いときは、サイドパネルを構成する第１、第２分割パネルをベッド側方に展開して転落に備えることができる。
【０００７】
【発明の実施の形態】
次に、本発明にかかる転落時の衝撃緩和機能を有するベッド装置について、一つの実施の形態を示し、添付の図面に基づいて以下説明する。
図１に示すベッド装置１には、サイドフレーム２に回動可能にサイドパネル３を装着している。また、このサイドパネル３裏面側に、サイドフレーム２に対してサイドパネル３長手方向下端側をベッド装置１幅方向外方に突出させた状態で保持する保持手段４を設けている（図２参照）。
【０００８】
前記サイドフレーム２とサイドパネル３とは、長手方向ほぼ同寸法を有し、サイドフレーム２長手方向両端部における上部側においてヒンジ５により回動可能に連結している。
【０００９】
また、前記サイドパネル３は、基板３ａの一面にクッション部材３ｂをシート３ｃで被覆したものを積層して構成している。
【００１０】
そして前記保持手段４は、サイドパネル３における基板３ａの他面に固設した円弧状支持腕６と、前記サイドフレーム２下面に鉛直下方に突設して、前記円弧状支持腕６を揺動自在に挿通させてなる保持基枠７と、この保持基枠７下部側に、保持基枠７に挿通させてなる円弧状支持腕６を所定の箇所で固定してなるロック手段８とによって構成している。このロック手段８は、前記保持基枠７下部側に横設したロック基台９に適宜な付勢手段（図示省略）によりロックピン１０を保持基枠７内に先端を臨入するように保持する構成としている。
かかるロックピン１０の先端を、保持基枠７に挿通させてなる円弧状支持腕６の先端側および取付箇所近傍に形成したロック穴１１，１１に嵌入させることで、保持基枠７内において円弧状支持腕６を固定して、サイドパネル３をサイドフレーム２に対してサイドパネル３長手方向下端側をベッド装置１幅方向外方に突出させた状態、並びに鉛直状態に格納した状態で保持するようにしている。
【００１１】
以上のようなベッド装置１において、ベッド使用者がベッド装置１上に仰臥した状態において、介護者は、サイドパネル３の下端側から手を入れて、保持手段４におけるロック手段８のロックピン１０を付勢手段に抗して引っ張り操作して、保持基枠７に挿通させてなる円弧状支持腕６を解放し、前記サイドパネル３の下端側を持ち上げて、サイドパネル３長手方向下端側をベッド装置１幅方向外方に突出させて行く。これに伴って、前記円弧状支持腕６は保持基枠７から引き出されていき、円弧状支持腕６先端のロック穴１１が、前記ロック手段８におけるロックピン１０の位置に持ち来たされることで、付勢手段により前記ロックピン１０がロック穴１１に嵌入し、サイドパネル３を傾斜した状態で保持される（図３参照）。
斯くして、ベッド装置１上の使用者が転げ落ちても、床面に落下する前に、一旦はサイドパネル３表面の、シート３ｃで覆われたクッション部材３ｂに身体があたって衝撃が緩和され、怪我などを被ることはない。
【００１２】
一方、ベッド装置１を使用しないときや、ベッド装置１を移動するときは、展開保持したサイドパネル３を、サイドパネル３の下端側から手を入れて、保持手段４におけるロック手段８のロックピン１０を付勢手段に抗して引っ張り操作して、保持基枠７に挿通させてなる円弧状支持腕６を解放し、サイドパネル３の下端側をベッド側に押し戻す。これによって円弧状支持腕６は保持基枠７を介して戻っていき、円弧状支持腕６取付箇所近傍のロック穴１１が、前記ロック手段８におけるロックピン１０の位置に持ち来たされることで、付勢手段により前記ロックピン１０がロック穴１１に嵌入し、サイドパネル３を鉛直状態に格納した状態で保持することができる。
【００１３】
本発明にかかる転落時の衝撃緩和機能を有するベッド装置は、次のような構成とすることもできる。この場合、前述のベッド装置１において、実質的に同様の構成要素には同符号を付して、その説明は省略するものとする。
すなわち、図４に示すベッド装置２０では、折畳み構造のサイドパネル２１をサイドフレーム２２に、ベッド側方に展開可能に保持した構成としている。
前記サイドパネル２１は、第１の分割パネル２１ａと第２の分割パネル２１ｂとによって構成している。これら第１、第２分割パネル２１ａ，２１ｂは、蝶番２３によって連結している。なお、第１、第２分割パネル２１ａ，２１ｂ自体の構造は、前述のベッド装置１におけるサイドパネル３と同構造としている。そして、前記第１分割パネル２１ａは、サイドフレーム２２長手方向両端上部側において、ヒンジ５によってサイドフレーム２２に連結し、裏面側に保持手段８を構成する円弧状支持腕６、ロック手段８を設けている。
【００１４】
かかる構造のベッド装置２０によれば、ベッド使用時には、先ず、ロック手段８による円弧状支持腕６を解放して、第１、第２分割パネル２１ａ，２１ｂを下端側をもって傾斜させ、円弧状支持腕６を引き出して、円弧状支持腕６先端のロック穴１１を、前記ロック手段８におけるロックピン１０の位置にもたらして、付勢手段により前記ロックピン１０をロック穴１１に嵌入させて、第１、第２分割パネル２１ａ，２１ｂを傾斜した状態で保持することができる。
そして、第１分割パネル２１ａから第２分割パネル２１ｂをベッド幅方向外側に広がるように展開することができる（図５参照）。
このように、第１分割パネル２１ａと第２分割パネル２１ｂとを展開すると、ボトムＢの高さが高くても広く衝撃緩和面として確保することができ、一層、転落時の衝撃緩和機能を発揮することができる。
【００１５】
【発明の効果】
以上の通り、本発明によれば、就寝時、転落するおそれのある使用者に対して、サイドパネルをクッションとして利用することができるので、安全性が向上する。
また、サイドパネルは、非使用時には格納することができ、保管場所に困らず、ベッドの移動も簡単である。
さらに、サイドパネルを分割構造として使用時に展開することで、広く衝撃緩和面として確保することができ、床高の高いベッドでも効果は高い。
【００１６】
【図面の簡単な説明】
【図１】本発明にかかる転落時の衝撃緩和機能を有するベッド装置の一例を示す、外観斜視図である。
【図２】図１に示すベッドの衝撃緩和機能を実行する構造の一例を示した、要部斜視説明図である。
【図３】図１に示すベッドの衝撃緩和機能を説明するための正面説明図である。
【図４】本発明にかかる転落時の衝撃緩和機能を有するベッド装置の別例を示す、要部構成図である。
【図５】図４に示すベッドの衝撃緩和機能を説明するための作用説明図である。
【符号の説明】
１、２０                    ベッド装置
２、２２                    サイドフレーム
３                          サイドパネル
３ａ                        基板
３ｂ                        クッション部材
３ｃ                        シート
４                          保持手段
５                          ヒンジ
６                          円弧状支持腕
７                          保持基枠
８                          ロック手段
９                          ロック基台
１０                        ロックピン
１１                        ロック穴
２１                        サイドパネル
２１ａ                      第１分割パネル
２１ｂ                      第２分割パネル
２３                        蝶番
【図１】
0003554704.tif 000002
【図２】
0003554704.tif 000003
【図３】
0003554704.tif 000004
【図４】
0003554704.tif 000005
【図５】
0003554704.tif 000006